(57)【特許請求の範囲】
【請求項１】
複合液晶パネルを形成すべく互いに結合するための、光源を有しない画素に相当する境界部をそれぞれ備えた、少なくとも２つの液晶ディスプレイパネルと、
境界部の各画素の上方に位置される少なくとも１つの反射面、および、境界部に隣接している通常の画素の上方に位置され透過および反射機能を有する少なくとも１つのミラー面を備え、画像の光を提供するために複合液晶パネルの上方に位置される画像表示面部とを有し、
透過および反射機能を有する前記ミラー面により、通常の画素から来る光の一部が当該ミラー面を通過して画像表示面部の外表面に到達し、光の他の部分が当該ミラー面で反射された後、画像表示面部の外表面の方にさらに反射させるための前記反射面に向けて進むようにしてなる複合液晶パネル。
【請求項２】
前記境界部は、1つの画素の幅を有する請求項１に記載の複合液晶パネル。
【請求項３】
前記反射面は、高反射型金属フィルムである請求項１に記載の複合液晶パネル。
【請求項４】
複合液晶パネルに対して略一様な照度を形成すべく、境界部の画素以外、および境界部に隣接している画素以外の他の画素の上方における画像表示面部の外表面にプレーティングされる半反射型フィルムをさらに有する請求項１に記載の複合液晶パネル。
【請求項５】
境界部を完全にマスキングするように、半反射型フィルムおよび画像表示面部の外表面の上に配置されるカラーフィルタをさらに有する請求項４に記載の複合液晶パネル。
【請求項６】
境界部の画素、および境界部に隣接している画素は、ｐを２以上の整数としたときｐ×ｐの画素ごとに1つのイメージドットを定義する請求項１に記載の複合液晶パネル。
【請求項７】
境界部のために定義されたイメージドットの画素を制御して、境界部のために定義されたイメージドットの画素に対して、他の画素の複数倍の光照明を供給するための電子画像制御モジュールをさらに有する請求項６に記載の複合液晶パネル。
【請求項８】
複合液晶パネルの継ぎ目を排除し得る複合液晶パネルの製造方法であって、
複合液晶パネルを形成すべく互いに結合するための、光源を有しない画素に相当する境界部をそれぞれ備えた、２つ以上の液晶ディスプレイパネルを提供するステップと、
境界部の各画素の上方に位置される少なくとも１つの反射面、および、境界部に隣接している通常の画素の上方に位置され透過および反射機能を有する少なくとも１つのミラー面を備え、画像の光を提供するために複合液晶パネルの上方に位置される画像表示面部を提供するステップと、
境界部の画素、および境界部に隣接している画素に対して、ｐを２以上の整数としたときｐ×ｐの画素ごとに1つのイメージドットを定義するステップとを有する方法。
【請求項９】
境界部に隣接している通常の画素に対して他の画素の複数倍の光照度を供給することによって略一様な照度を達成するために光源を再分配するステップをさらに有する請求項８に記載の方法。
【請求項１０】
略一様な照度を達成するために光源を再分配するステップは、電子画像制御モジュールを使用することにより達成される請求項９に記載の方法。
【請求項１１】
略一様な照度を達成するために、境界部の画素以外、および境界部に隣接している画素以外の他の画素の上方に、半反射型フィルムをプレーティングするステップをさらに有する請求項８に記載の方法。
【請求項１２】
半反射型フィルムをプレーティングするステップの後に、境界部を完全にマスキングするようにカラーフィルタを配置するステップをさらに有する請求項１１に記載の方法。
【発明の詳細な説明】
【０００１】
【発明の属する技術分野】
本発明は、液晶パネルに関し、特に、複合液晶パネルに関する。
【０００２】
【従来の技術および発明が解決しようとする課題】
今日、一般に使用される３つのテレビディスプレイ装置は、陰極線管（ＣＲＴ）、リヤプロジェクション、およびプラズマディスプレイパネル（ＰＤＰ）である。従来のテレビ、およびフルフラットなテレビは、ＣＲＴ技術を採用している。成熟したＣＲＴ技術は低価格の利点を有するにもかかわらず、小さいめのディスプレイ寸法、過度の厚み、および高放射などのいくらかの欠点がある。リヤプロジェクションおよびＰＤＰのテレビディスプレイ装置は、ＣＲＴによる高放射を克服するものであるが、しかしながら、リヤプロジェクションテレビは高価である。また、リヤプロジェクションテレビは、表示画像が同じサイズであるＣＲＴテレビほど厚くないものの、まだ相当な厚みを有する。薄いＰＤＰテレビは非常に高値であり、ＰＤＰテレビはそれ程普及してはいない。
【０００３】
近年、複合液晶パネルに関し、多くのベンダーが大きいサイズの液晶パネルの研究を推進する傾向となっている。たとえば、クラリティ社（Clarity corporation）およびパイオニア社（Pioneer corporation）は、液晶パネルから構成される複合液晶パネルを導入した。しかしながら、継ぎ目の取り扱いにおいて、それらの複合液晶パネルは、まだ課題を有している。具体的には、継ぎ目にギャップが存在しており、それは全体の液晶スクリーンの目障りになる。それゆえに、ギャップ現象は、現在での液晶パネルの開発の主要なボトルネックである。
【０００４】
それでもなお、液晶ディスプレイパネル（ＬＣＤパネル）は、上述したＣＲＴやＰＤＰに関する問題の観点から、テレビパネルとして使われる。より小さい寸法のよく発達した、より低定価のパネルは、テレビにとっては大きさが十分ではなく、その一方で、より大きい寸法のＬＣＤパネルの技術は、まだ十分には開発されておらず、非常に発展的なものである。小さめのサイズ（３０インチ以下）のディスプレイ装置に関しては、ＣＲＴディスプレイ装置と交換するために、ＬＣＤパネルを用いる傾向が増大しつつある。したがって、より大きいサイズのパネルを製造するための、既存のよく発達したＬＣＤパネルの技術を使用する方法は、高く注目される研究課題である。
【０００５】
従来技術の上述した課題の観点から、本発明の目的は、ギャップ現象のない、より大きいサイズの液晶パネルを実現することができる、複合液晶パネル、およびその製造方法を提供することである。
【０００６】
【課題を解決するための手段】
本発明は、現在利用可能な成熟した技術により低価格で作られ得る小さめのサイズのＬＣＤパネルと、より大きいサイズ、減少された厚み、およびより低価格を備えたＬＣＤテレビを製造するための複合技術とを使用する。ひとたび大きいサイズのＬＣＤパネルの技術が将来においてかなり発展すると、本発明で開示される複合技術が、さらに大きいサイズのＬＣＤテレビを製造するために使われるかもしれない。
【０００７】
本発明により提供される技術によって作られる複合液晶パネルは、２枚以上の液晶パネルと、画像表示面部とを含んでいる。液晶パネルの各々は、本発明の複合液晶パネルを形成するために、接合するための境界部を有する。境界部に相当する画素は、画素光源を有しない。画像表示面部は、光源を画像に提供するために、複合液晶パネルの上方に位置される。各々の液晶パネルの境界部に相当する画素の上方には、１つ以上の反射面が位置される。境界部に隣接している通常の画素の上方には、透過および反射の両機能を有する１つ以上のミラーを有する。透過および反射の両機能を有するミラーによって、通常の液晶画素の光の一部が当該ミラーを透過して画像表示面部の外表面に到達でき、光の他の部分は反射面に向けて反射され得る。それから、反射面は、画像表示面部の外表面に向けて光を反射する。
【０００８】
さらに、画像表示面部は、半反射型フィルムの層によりプレーティングされてもよい。液晶パネル上の照度がより一様になるように、プレーティングされるフィルムは、境界部以外の画素上に位置される。より好ましくは、液晶パネル上の照度がより一様になるように、プレーティングされるフィルムは、境界部以外、および境界部に隣接している画素以外、の画素上に位置される。また、カラーフィルタが、境界部を完全にマスキングするように、半反射型フィルム、および画像表示面部の外表面に付着されてもよい。
【０００９】
境界部にギャップが形成されることを防止するために、画素が再定義される。各々の液晶パネルの境界部に相当する画素、および隣接している通常の画素、すなわちｐ×ｐの画素は、新規な画素として定義される。ここで、ｐは、２以上の整数である。境界部のギャップ現象を解消するための他の方法は、境界部のために定義された画素を制御して、これらの定義された画素に他の画素の複数倍（たとえば２倍などの、２以上の自然数倍）の照度を提供するための、電子画像制御モジュールを使用することである。
【００１０】
上述したこととともに、本発明の付加的な目的、特徴、および利点は、添付の図面を参照しながら進められる以下の詳細な説明によって容易に明らかとなる。
【００１１】
【発明の実施の形態】
以下、図面を参照して、本発明の実施の形態を説明する。
【００１２】
まず、図1を参照して、本発明の液晶パネルのレイアウトについて説明する。本発明は、薄膜トランジスタ液晶ディスプレイパネル（ＴＦＴ−ＬＣＤパネル）を使用する。ＴＦＴ−ＬＣＤパネルの各々は境界部を有しており、そして、境界部は、１つの画素（表示画素：赤、緑、および青の３つのドットを包含する）の幅に切断される。この画素は、画素光源を有していない。
【００１３】
１画素のサイズに切断された境界部を有する第１液晶パネル１０および第２液晶パネル２０は、並列するように接合されて、個々のパネルの２倍のサイズを有する複合ＴＦＴ−ＬＣＤパネルを形成する。境界部に隣接している第１画素１２および２２は、通常に画像を表示できる。しかし、境界部１１および２１の画素は、通常の方法で画像を表示することができない。その結果、２画素のギャップが、表示画像上に形成される。図1に示すようなギャップの形成は、本発明の複合液晶パネルにより解決される課題である。
【００１４】
液晶パネルの境界部が1画素のサイズに切断されている場合、この1画素によって生じる問題を解決することにより、光源の不在から生じているギャップの問題を克服することができる。本発明は、境界部のギャップ現象を排除するための方法を提供する。本方法は、境界部に隣接している画素から光を分配し得るパネル上の画像表示面部を加えることを含んでおり、画像を表示できない境界部の画素に画像を表示することができる。そして、境界部に相当する画素、および境界部に隣接している通常の画素は、同じ画像を表示することができる。このような方法は、画素の再定義を必要とする。換言すれば、問題を軽減するために、境界部に相当する画素、および画像を表示できる隣接している通常の画素が、１つのイメージドットとして定義される。
【００１５】
光が再分配されるので、結果として生じる照度は、最初のものの半分だけである。それゆえ、境界部の照度は十分でない。本発明は、この課題を解決するために３つのアプローチを提供する。第1のアプローチは、照度を「他のイメージドット」よりも２倍強くするように、境界部の「イメージドット」の光源を制御するための電子画像制御モジュールを使用することである。第２のアプローチは、境界部のイメージドットが他のイメージドットと同じ照度を有するように、非境界部分のイメージドットに付着すべく半反射フィルムを使用することである。第３のアプローチは、第２のアプローチの拡張であるが、境界部を完全にマスキングするようにカラーフィルタを付着する。
【００１６】
複合液晶パネルの境界部の継ぎ目を除去するための本発明により提供される方法は、次のステップを含む。まず、２枚以上の液晶パネルの各々に、相互に接合するための境界部を設け、複合液晶パネルを形成する。ここで、境界部に相当する画素は、画素光源を有しない。次に、画像用の光源を提供するために複合液晶パネルの上方に画像表示面部を設ける。ここで、液晶パネルの境界部に相当する画素の各々の上方には、１つ以上の「反射面」が位置され、境界部に隣接している通常の画素の上方には、透過および反射機能を有する１つ以上の「ミラー面」が位置される。それから、境界部の各画素、および境界部に隣接している通常の画素は、イメージドットとして再定義される。そして、ｐ×ｐの画素は、1つのイメージドットとして規定される。ここで、ｐは２以上の整数である。それで、隣接している画素の光が境界部に相当する画素に分配され、それにより、境界部のギャップが除去される。
【００１７】
上述した方法を使用することにより、照度が改善される。前述の方法は、以下の実施形態を参照することによって、より明らかに理解される。
【００１８】
次に、図２を参照して、本発明の複合液晶パネルの第１実施形態について説明する。画像表示面部の厚みは、1画素である。図面に示すように、境界部上の画像表示面部の設計は、次のことを含む。まず、４５°の斜面を切断する。そして、一方の斜面に半反射型フィルム３２を、（高反射型金属フィルム付きの）他方の斜面に全反射型フィルム３１をプレーティングする。全反射型フィルム３１は、前述した「反射面」の実際の適用例である。半反射型フィルム３２は、前述した透過および反射機能を有する「ミラー面」の実際の適用例である。そして、同様のものが以下の実施形態に適用される。全反射型フィルム３１は、境界部の画素１１および２１を覆っている底部側を備えた直角二等辺三角形において形成される。すなわち、底部側は、２画素の幅を有している。半反射型フィルム３２の底部は、全反射型フィルム３１の底部から、１画素の距離だけ間隔を置いて配置される。第１液晶パネル１０の第１画素１２の光の半分を、境界部の画素１１に割り当てるために（境界部の別の画素２１に光の半分を割り当てるため、第２液晶パネル２０の第１画素２２に同様のことが適用される。）、半反射型フィルム３２および全反射型フィルム３１は、液晶パネル面から４５°の角度で形成される。加えて、全反射型フィルム３１の反射面は、半反射型フィルム３２に対向する側にあり、半反射型フィルム３２からの光を反射して、最初の光線の方向に一致させる。
【００１９】
それゆえ、境界部の画素１１に隣接した第１画素１２から出力される光が、半反射型フィルム３２の表面に照射されるとき、光の５０％が通過する一方、光の別の５０％が反射される。通過する光は、連続的に進行して、画像表示面部３０を通過し、一方、反射された光は、高反射率を有する全反射型フィルム３１に到達し、殆どすべてが反射されて、画像表示面部を通過する。類似するように、第２液晶パネルの境界部の画素２１に隣接した第１画素２２は同様にふるまう。したがって、画像上の２画素のギャップは、除去され得る。
【００２０】
次に、本発明による複合液晶パネルの画素を再定義するための図３を参照する。図面は、４つの画素から構成される１つのイメージドットを示す。実際には、１つのイメージドットはまた、液晶パネルのサイズに基づき、１つのイメージドットに対してｐ×ｐの画素をあてる規則によって、９つの画素から構成されるかもしれない。たとえばイメージドット１３または２３などの再定義されたイメージドットは、境界部の画素、および隣接している画素を含む。たとえばイメージドット１４および２４などの残りのイメージドットは、各々４つの最初の画素から構成されている。
【００２１】
図２および３に関する説明によって、境界部のギャップ現象は、本発明により排除される。しかし、まだ照度の問題は解決されない。ただし、前述した説明により、この問題を解決するための方法がすでに示されている。
【００２２】
図４は、その方法のうちの２つを示している。
【００２３】
まず、パネルの他の画素の上方にある画像表示面部の外表面上に、一部の光を通過させて残りの光を反射するための、半反射型フィルム４０の層をプレーティングして、全表示面に対して一様あるいは略一様な照度を作る。これは、第２の方法である。画像表示面部を通して境界部が見えることを防止するために、カラーフィルタ５０が、完全に境界部をマスキングするように画像表示面部に付着されてもよい。これは、第３の方法である。
【００２４】
図５を参照して、本発明の第３の実施形態について説明する。本実施形態において、画像表示面部６０の厚みは、１画素（の厚さ）よりも大きい。画素に対する配光の構成要素は、図２に示される実施形態と同じものである。しかし、全反射ミラー６１および半反射ミラー６２は、画像表示面部の頂端に達しておらず、画像表示面部の内部にとどまる。これが、唯一の差異である。残り全部は図２に示されるものと同じものであり、したがって詳細はここでは省略される。
【００２５】
さらに、図４に示される半反射型フィルム４０およびカラーフィルタ５０がまた、図５に示される実施形態に採用されてもよい。また、電子画像制御モジュールの適用が採用されてもよい。
【００２６】
上述した方法および構成により、ギャップ現象のない、大きいサイズの複合液晶パネルを作ることができる。
【００２７】
本発明の好ましい実施形態は、開示の目的で記載されたものであって、その他の実施形態のみならず、本発明の開示された実施形態の変更が、当業者にとって生じ得る。したがって、特許請求の範囲は、本発明の精神と範囲から逸脱しない全ての実施形態を包含することを意図している。
【００２８】
【発明の効果】
以上説明したように、本発明によれば、ギャップ現象のない、大きいサイズの複合液晶パネルを実現することができる。
【図面の簡単な説明】
【図１】  並列するように置かれた本発明の液晶パネルの概略図である。
【図２】  本発明による複合液晶パネルの第１実施形態の概略図である。
【図３】  本発明の複合液晶パネルに関して、再定義された画素の概略図である。
【図４】  本発明による複合液晶パネルの第２実施形態の概略図である。
【図５】  本発明による複合液晶パネルの第３実施形態の概略図である。
【符号の説明】
１０、２０…液晶パネル、
１１、２１…境界部（の画素）、
１２、２２…境界部に隣接している画素、
１３、１４、２３、２４…イメージドット、
３０、６０…画像表示面部、
３１…反射面（全反射型フィルム）、
３２…ミラー（半反射型フィルム）、
４０…半反射型フィルム、
５０…カラーフィルタ、
６１…全反射ミラー、
６２…半反射ミラー。
【図１】
0003699456.tif 000002
【図２】
0003699456.tif 000003
【図３】
0003699456.tif 000004
【図４】
0003699456.tif 000005
【図５】
0003699456.tif 000006